(57)【要約】【課題】顎関節を支点とした３次元的な下顎運動を阻害することなく機能的に良好な入れ歯を容易に作ることのできる上顎側人工歯列及び下顎側人工歯列を提供することである。【解決手段】本発明に係る上顎側人工歯列１０は、複数の人工歯（１０Ｌ１〜１０Ｌ７、１０Ｒ１〜１０Ｒ７）が、人の上顎側の全歯に対応するように連なるとともに、該複数の人工歯（１０Ｌ１〜１０Ｌ７、１０Ｒ１〜１０Ｒ７）の先端部が所定の球状凹面Ｃに沿って配列された構成である。また、本発明に係る下顎側人工歯列２０は、複数の人工歯（２０Ｌ１〜２０Ｌ７、２０Ｒ１〜２０Ｒ７）が、前記上顎側人口歯列１０に咬合するように配列され、人の下顎側の全歯に対応するように連なった構成となる。【選択図】図９
2008154927.tif 000002
【特許請求の範囲】
【請求項１】
複数の人工歯が、人の上顎側の全歯に対応するように連なるとともに、該複数の人工歯の先端部が所定の球状凹面に沿って配列されてなることを特徴とする上顎側人工歯列。
【請求項２】
前記球状凹面の中心は、前記複数の人工歯における左側第２大臼歯と右側第１小臼歯とを結ぶ直線と左側第１小臼歯と右側第２大臼歯とを結ぶ直線の交点から鉛直上方向に延びる線上に設定されていることを特徴とする請求項１記載の人工歯列。
【請求項３】
前記複数の人工歯は一体構造となることを特徴とする請求項１または２記載の人工歯列。
【請求項４】
所定材料の一体成形によりなる請求項３記載の上顎側人工歯列。
【請求項５】
所定素材からの切り出しによりなる請求項３記載の上顎側人工歯列。
【請求項６】
複数の人工歯が、請求項１乃至７のいずれかに記載の上顎側人口歯列に咬合するように配列され、人の下顎側の全歯に対応するように連なってなることを特徴とする下顎側人工歯列。
【発明の詳細な説明】
【技術分野】
【０００１】
本発明は、入れ歯を作るために用いられる上顎側人工歯列及び下顎側人工歯列に関する。
【背景技術】
【０００２】
上顎側の総入れ歯（全部床義歯）を作成する場合、一般的に、無歯顎模型にろう提を形成し、このろう提を加熱によって軟化させながら人工歯を１本ずつ配列するという作業が行なわれる。この人工歯の配列は、患者の顎運動に適合するものでなければならず、その配列作業には熟練が必要であり、また、多大な時間を要する。
【０００３】
そこで、複数の人工歯を連結した連結歯（人工歯列）が提案されている（特許文献１参照）。このような連結歯を用いれば、人工歯を１本ずつ配列する場合に比べて、その配列作業における作業工数を低減することができる。
【特許文献１】特開平６−２６１９１７号公報
【発明の開示】
【発明が解決しようとする課題】
【０００４】
ところで、図１（ａ）に示すように、人の上顎ＭＸと下顎ＭＮとは、前歯部から臼歯部がある種の彎曲面Ｃ１（Spee彎曲のような彎曲）に沿って配列されるものであり、また、左右方向についても、図１（ｂ）に示すように、ある種の彎曲面Ｃ２（Wilson彎曲のような彎曲）に沿って配列されるものである。相互に咬合すべき上顎ＭＸの歯列及び下顎ＭＮの歯列において前述したような彎曲状態が維持されていないと、顎関節を支点とした下顎ＭＮの運動において臼歯部等に有害な側方圧がかかるおそれがある。
【０００５】
前述したような従来の連結歯における人工歯の配列は、単に２次元的な基準となる標準的な歯列弓に沿って配列されたものであり、前述したような３次元的な下顎運動を何ら考慮したものとはなっていない。そのため、有害な側方圧がかからない等の機能的に良好な入れ歯を作るには、実際の患者に装着して種々の調整作業が必要となるなど、それ相応の熟練が必要であることに変わりがない。
【０００６】
本発明は、このような事情に鑑みてなされたもので、顎関節を支点とした３次元的な下顎運動を阻害することなく機能的に良好な入れ歯を容易に作ることのできる上顎側人工歯列及び下顎側人工歯列を提供するものである。
【課題を解決するための手段】
【０００７】
本発明に係る上顎側人工歯列は、複数の人工歯が、人の上顎側の全歯に対応するように連なるとともに、該複数の人工歯の先端部が所定の球状凹面に沿って配列された構成となる。
【０００８】
このような構成により、複数の人工歯が上顎側の全歯に対応するように連なっているので、入れ歯を作るに際して人工歯を１本ずつ配列する作業を行なう必要がなく、その配列作業が極めて容易になる。また、前記複数の人工歯の先端部が所定の球状凹面に沿って配列されているので、上顎側の入れ歯において、顎関節を支点とした下顎の３次元的な運動を考慮した構造を容易に実現することが可能となる。
【０００９】
また、本発明に係る上顎側人工歯列において、前記球状凹面の中心は、前記複数の人工歯における左側第２大臼歯と右側第１小臼歯とを結ぶ直線と左側第１小臼歯と右側第２大臼歯とを結ぶ直線の交点から鉛直上方向に延びる線上に設定されている構成とすることができる。
【００１０】
このような構成により、左側第２大臼歯と右側第１小臼歯とを結ぶ直線と、左側第１小臼歯と右側第２大臼歯とを結ぶ直線との交点は正中線上の点となり得、その交点から鉛直方向に延びる線上にある点を中心とした球状凹面は、多くの歯科患者の上顎歯列の先端部が沿うべき彎曲面により近いものとなり得た。
【００１１】
また、本発明に係る上顎側人工歯列において、前記複数の人工歯は一体構造となる構成とすることができる。
【００１２】
このような構成により、複数の人工歯が一体構造となっているので、そのような人工歯列を作るに際して個々の人工歯を結合させる作業が必要なく、より簡易に作ることができるようになる。
【００１３】
前記一体構造は、所定材料の一体成形により実現することができる。例えば、硬質レジンを材料とした射出成形による複数の人工歯の一体成形により上顎側人工歯列を形成することができる。また、前記一体構造は、所定素材からの切り出しによって実現することもできる。例えば、硬質レジン等の素材からの切り出しによる複数の人工歯の一体形成により上顎側人工歯列を形成することができる。
【００１４】
本発明に係る下顎側人工歯列は、複数の人工歯が、前述したいずれかにの上顎側人口歯列に咬合するように配列され、人の下顎側の全歯に対応するように連なってなる構成となる。
【００１５】
このような構成により、複数の人工歯が下顎側の全歯に対応するように連なっているので、入れ歯を作るに際して人工歯を１本ずつ配列する作業を行なう必要がなく、その配列作業が極めて容易になる。また、複数の人工歯の先端部が所定の球状凹面に沿って配列された上顎側人工歯列に咬合するように前記複数の人工歯列が配列されているので、下顎側の入れ歯において、顎関節を支点にした下顎の３次元的な運動を考慮した構造を容易に実現することができる。
【発明の効果】
【００１６】
本発明に係る上顎側人工歯列及び下顎側人工歯列によれば、入れ歯を作るに際して人工歯の配列作業が極めて容易になり、また、各入れ歯において、顎関節を支点とした下顎の３次元的な運動を考慮した構造が容易に実現するようになるので、その顎関節を支点とした３次元的な下顎運動を阻害することなく機能的に良好な入れ歯を容易に作ることができるようになる。
【発明を実施するための最良の形態】
【００１７】
以下、本発明の実施の形態について、図面を用いて説明する。
【００１８】
本発明の実施の一形態に係る上顎側人工歯列は、図２及び図３に示すように構成される。なお、図２は上顎側人工歯列の正面から見た状態（ａ）と、その右側方から見た状態（ｂ）とを示し、図３は上顎側人工歯列の咬合面側から見た状態を示している。
【００１９】
図２及び図３において、この上顎側人工歯列１０は、複数の人工歯１０Ｌ１〜１０Ｌ７及び１０Ｒ１〜１０Ｒ７が人の上顎側の全歯、具体的には、左中切歯（１０Ｌ１）、左側切歯（１０Ｌ２）、左犬歯（１０Ｌ３）、左第１小臼歯（１０Ｌ４）、左第２小臼歯（１０Ｌ５）、左第１大臼歯（１０Ｌ６）及び第２大臼歯（１０Ｌ７）と、右中切歯（１０Ｒ１）、右側切歯（１０Ｒ２）、右犬歯（１０Ｒ３）、右第１小臼歯（１０Ｒ４）、右第２小臼歯（１０Ｒ５）、第１大臼歯（１０Ｒ６）及び第２大臼歯（１０Ｒ７）に対応するように標準的な歯列弓Ｑ（図３参照）に沿って連なっている。以下、各人工歯１０Ｌ１〜１０Ｌ７及び１０Ｒ１〜１０Ｒ７を対応する人の歯と同じ名称で呼ぶものとする。
【００２０】
前記人の全歯に対応した複数の人工歯１０Ｌ１〜１０Ｌ７及び１０Ｒ１〜１０Ｒ７の先端部は、所定の球状凹面Ｃ（図２参照）に沿って配列されている。この球状凹面Ｃは、次のようにして決められている。
【００２１】
図４に示すように、左第２大臼歯１０Ｌ７と右第１小臼歯１０Ｒ４とを結ぶ直線Ｌ１と、左第１小臼歯１０Ｌ４と右第２大臼歯１０Ｒ７とを結ぶ直線Ｌ２との交点Ｐは、正中線Ｌｃ上にあり、犬歯誘導などの下顎運動の合理的な基準点とみなし得る。このことから、図５及び図６に示すように、前記直線Ｌ１とＬ２との交点Ｐから鉛直上方に伸びる直線Ｌｏ上に当該球状凹面Ｃの中心Ｏが存在するものとした。この中心Ｏの設定された直線Ｌｏ上に最下点Ｐｏがくるように球状凹面Ｃが決められた。そして、球状凹面Ｃの半径ＳＲが１２４ｍｍとなるように、当該球状凹面Ｃの中心Ｏが最終的に決定された。このような球状凹面Ｃは、本願発明者が多数の歯科患者の歯列を採取して調べた結果から、その上顎歯列が沿うべき彎曲面（図１参照）をより良く代表するものであった。ただし、球状凹面Ｃの半径ＳＲは、年齢、性別、顎構造（顎の大きさ等）に応じて適宜設定することができる。一般的な成人の場合、前記球状凹面Ｃの半径ＳＲは、１２４ｍｍ±５％の範囲内で設定することが好ましいものであった。
【００２２】
また、上顎側人工歯列１０を構成する人工歯１０Ｌ１〜１０Ｌ７及び１０Ｒ１〜１０ＲＬのそれぞれは、前記球状凹面Ｃの各点からその中心Ｏに向けて伸びる直線（各破線参照）に沿って起立した状態となっている。
【００２３】
なお、前述したように左第２大臼歯１０Ｌ７と右第１小臼歯１０Ｒ４とを結ぶ直線Ｌ１と、左第１小臼歯１０Ｌ４と右第２大臼歯１０Ｒ７とを結ぶ直線Ｌ２との交点Ｐを通る垂直線Ｌｏ上で前記球状凹面Ｃに設定された点Ｐｏは、下顎運動の合理的な基準点とみなし得る点であり、この点Ｐｏを「咬合原点」と称することとする。
【００２４】
前述したように複数の人工歯１０Ｌ１〜１０Ｌ７及び１０Ｒ１〜１０Ｒ７が、人の上顎側の全歯に対応するように連なるとともに、その複数の人工歯１０Ｌ１〜１０Ｌ７及び１０Ｒ１〜１０Ｒ７の先端部が球状凹面Ｃに沿って配列されてなる上顎側人工歯列１０は、別々の人工歯が連結されるものではなく、一体構造となっている。この上顎側人工歯列１０は、例えば、一般的な人工歯の材料となる硬質レジンを射出成形することにより一体的に形成することが可能であり、また、硬質レジンの素材からＮＣ機器等にて切り出すことにより形成することも可能である。
【００２５】
このように一体構造となる上顎側人工歯列１０は、その製作に際して、各人工歯を連結するという作業を行なうことなく、射出成形機等の成形機やＮＣ機器等を用いて容易に、かつ、精度良く作ることができる。
【００２６】
前述した上顎人工歯列１０を用いて入れ歯を作る場合、ろう提に上顎側人工歯列１０を埋め込む作業を行なうだけで、従来のように人工歯を１本ずつ配列する作業を行なう必要がない。そして、図７及び図８に示すように、上顎側入れ歯１００は、その上顎側人工歯列１０がアクリル樹脂等の樹脂材料やコバルトクロムや金合金等の金属材料で形成された義歯床１５に固定されて完成する。なお、図７（ａ）は、上顎側入れ歯１００の正面から見た状態を示す図であり、図７（ｂ）は、上顎側入れ歯１００の右側方から見た状態を示す図であり、図８は、上顎側入れ歯１００の咬合面側から見た状態を示す図である。
【００２７】
前述したような上顎側人工歯列１０を用いた入れ歯１００は、その人工歯列１０の各人工歯の先端部が実際の上顎歯列が沿うべき彎曲面（図１参照）をより良く代表する球状凹面Ｃに沿って配列された構造となる。従って、その入れ歯００は、顎関節を支点とした３次元的な下顎運動を考慮した構造となり、その下顎運動を阻害することのない機能的に良好なものとなり得る。
【００２８】
次に、図９を参照して、下顎側人工歯列について説明する。なお、図９（ａ）は、前記上顎側人工歯列に咬合した下顎側人工歯列の正面から見た状態を示す図であり、図９（ｂ）は、前記上顎側人工歯列に咬合した下顎側人工歯列の右側方から見た状態を示す図である。
【００２９】
図９（ａ）、（ｂ）において、この下顎側人工歯列２０は、複数の人工歯２０Ｌ１〜２０Ｌ７及び２０Ｒ１〜２０Ｒ７が、前述したように各人工歯の先端部が球状凹面Ｃに沿って配列された構造となる上顎側人工歯列１０に適正に咬合するように配列され、人の下顎側の全歯に対応するように連なった構造となっている。また、この下顎人工歯列２０は、上顎側人工歯列１０と同様に、別々の人工歯が連結されるものではなく、一体構造となり、例えば、硬質レジン等の材料を射出成形により、あるいは、硬質レジン等の素材からＮＣ機器等にて切り出すことにより形成されている。
【００３０】
前述した下顎人工歯列２０を用いて入れ歯を作る場合、ろう提に下顎側人工歯列２０を埋め込む作業を行なうだけで、従来のように人工歯を１本ずつ配列する作業を行なう必要がない。そして、図１０（ａ）、（ｂ）に示すように、下顎側入れ歯２００は、その下顎側人工歯列２０が義歯床２５に固定されて完成する。なお、図１０（ａ）は、上顎側入れ歯１００に咬合する下顎側入れ歯２００の正面から見た状態を示す図であり、図１０（ｂ）は、上顎側入れ歯１００に咬合する下顎側入れ歯２００の右側方から見た状態を示す図である。
【００３１】
前述したような入れ歯２００は、実際の上顎歯列が沿うべき彎曲面（図１参照）をより良く代表する球状凹面Ｃに沿って配列された複数の人工歯が連なってできる上顎側人工歯列１０に下顎側人工歯列２０が適正に咬合するような構造となるので、その入れ歯２００は、顎関節を支点とした３次元的な下顎運動を考慮した構造となり、上顎歯列によってその下顎運動自体が阻害されることのない機能的に良好なものとなり得る。
【００３２】
前述した例では、人の上顎側の全歯に対応するように連なった上顎側人工歯列１０と、人の下顎側の全歯に対応するように連なった下顎側人工歯列２０とをそのまま上顎側の総入れ歯（全部床義歯）１００及び下顎側の総入れ歯（全部床義歯）２００に用いるものとして説明したが、前述した上顎側人工歯列１０及び下顎側人工歯列２０を用いて部分入れ歯（部分床義歯）を作ることもできる。この場合、射出成形等により一体構造となる上顎側人工歯列１０または下顎側人工歯列２０から必要となる人工歯列部分を切り出して、その切り出された人工歯列部分を用いて入れ歯が造られる。例えば、図１１（ａ）、（ｂ）に示すように、上顎側人工歯列１０から人工歯１０Ｌ１〜１０Ｌ７の部分となる上顎側左人工歯列部分１０Ｌを切り出して用いることにより、上顎側の左部分床義歯を作ることができる。また、例えば、図１２（ａ）、（ｂ）に示すように、上顎側人工歯列１０から人工歯１０Ｒ１〜１０Ｒ７の部分となる上顎側右人工歯列部分１０Ｒを切り出して用いることにより、上顎側の右部分床義歯を作ることができる。
【産業上の利用可能性】
【００３３】
以上、説明したように、本発明に係る上顎側人工歯列及び下顎側人工歯列は、顎関節を支点とした３次元的な下顎運動を阻害することなく機能的に良好な入れ歯を容易に作ることができるという効果を有し、歯科用の上顎側人工歯列及び下顎側人工歯列として有用である。
【図面の簡単な説明】
【００３４】
【図１】咬合する人の上顎及び下顎の左側方から見た状態（ａ）及びその正面から見た状態（ｂ）を示す図である。
【図２】本発明の実施の一形態に係る上顎側人工歯列の正面から見た状態（ａ）及びその右側方から見た状態（ｂ）を示す図である。
【図３】本発明の実施の一形態に係る上顎側人工歯列の咬合面側から見た状態を示す図である。
【図４】上顎側人工歯列における各人工歯の配列状態を示す図である。
【図５】上顎側人工歯列を構成する各人工歯の先端部が沿う球状凹面を示す側面図である。
【図６】上顎側人工歯列を構成する各人工歯の先端部が沿う球状凹面を示す正面図である。
【図７】上顎側人工歯列を用いて作られた入れ歯（上顎側入れ歯）の正面から見た状態（ａ）及びその右側方から見た状態（ｂ）を示す図である。
【図８】上顎側人工歯列を用いて作られた入れ歯（上顎側入れ歯）の咬合面側から見た状態を示す図である。
【図９】上顎側人工歯列に適正に咬合する下顎側人工歯列の正面から見た状態（ａ）及びその右側方から見た状態（ｂ）を示す図である。
【図１０】上顎側入れ歯に咬合する下顎側入れ歯の正面から見た状態（ａ）及びと、その右側方から見た状態（ｂ）を示す図である。
【図１１】上顎側人工歯列から切り出された上顎側左人工歯列部分の正面から見た状態（ａ）及びその咬合面側から見た状態（ｂ）を示す図である。
【図１２】上顎側人工歯列から切り出された上顎側右人工歯列部分の正目から見た状態（ａ）及びその咬合面側から見た状態（ｂ）を示す図である。
【符号の説明】
【００３５】
１０  上顎側人工歯列
１０Ｒ  上顎側右人工歯列部分
１０Ｌ  上顎側左人工歯列部分
１５  義歯床
２０  下顎側人工歯列
２５  義歯床
【図１】
2008154927.tif 000003
【図２】
2008154927.tif 000004
【図３】
2008154927.tif 000005
【図４】
2008154927.tif 000006
【図５】
2008154927.tif 000007
【図６】
2008154927.tif 000008
【図７】
2008154927.tif 000009
【図８】
2008154927.tif 000010
【図９】
2008154927.tif 000011
【図１０】
2008154927.tif 000012
【図１１】
2008154927.tif 000013
【図１２】
2008154927.tif 000014